(57)【特許請求の範囲】
【請求項１】
静止画データおよびＡＶデータのうちの少なくとも一方をユーザデータとして情報記録媒体に記録し、また再生する記録再生装置において、
属性情報として少なくとも日時情報が付加されている前記ユーザデータを前記情報記録媒体に記録する記録手段と、
前記記録手段によって前記情報記録媒体に記録された前記ユーザデータと、素材データのそれぞれの前記属性情報としての位置情報、またはキーワード情報の少なくとも一方を比較する比較手段と、
前記比較手段の比較結果に基づき、前記ユーザデータと前記素材データをグループ分けするグループ分け手段と、
前記グループ分け手段によってグループ分けされた前記素材データの前記属性情報としての日時情報を、同一のグループにグループ分けされた前記ユーザデータの前記属性情報に基づいて設定する設定手段と、
前記グループ分け手段によって同一のグループに分類された前記ユーザデータおよび前記素材データの再生順序を、それぞれの前記属性情報としての前記日時情報に基づいて決定し、対応する編集データを生成する決定手段と、
前記情報記録媒体に記録された前記ユーザデータおよび前記素材データを、前記編集データに基づく順序で再生する再生手段と
を含むことを特徴とする記録再生装置。
【請求項２】
前記素材データは、前記情報記録媒体に予め記録されている
ことを特徴とする請求項１に記載の記録再生装置。
【請求項３】
ネットワークを介して接続した所定のサーバから、前記素材データをダウンロードするダウンロード手段を
さらに含むことを特徴とする請求項１に記載の記録再生装置。
【請求項４】
前記素材データは、タイトル文字データ、静止画データ、動画データ、音声データ、および地図データのうちの少なくとも１つを含む
ことを特徴とする請求項１に記載の記録再生装置。
【請求項５】
前記ユーザデータが生成されたときの移動経路を示す移動経路履歴データを取得する取得手段を
さらに含むことを特徴とする請求項１に記載の記録再生装置。
【請求項６】
前記ユーザデータの前記属性情報としての位置情報を、前記移動経路履歴データに基づいて推定する推定手段を
さらに含むことを特徴とする請求項５に記載の記録再生装置。
【請求項７】
前記設定手段は、前記グループ分け手段によってグループ分けされた前記素材データの属性情報としての日時情報を、前記移動経路履歴データにも基づいて設定する
ことを特徴とする請求項５に記載の記録再生装置。
【請求項８】
被写体を撮像し、前記ユーザデータとしての前記静止画データおよびＡＶデータのうちの少なくとも一方を生成する撮像手段を
さらに含むことを特徴とする請求項１に記載の記録再生装置。
【請求項９】
情報記録媒体にデータを記録する記録手段と、
前記情報媒体からデータを再生する再生手段と、
前記データに関する情報を処理する処理手段とを備え、
静止画データおよびＡＶデータのうちの少なくとも一方をユーザデータとして前記情報記録媒体に記録し、また再生する記録再生装置の記録再生方法において、
前記記録手段による、属性情報として少なくとも日時情報が付加されている前記ユーザデータを前記情報記録媒体に記録する記録ステップと、
前記処理手段による、前記記録ステップの処理で前記情報記録媒体に記録された前記ユーザデータと、素材データのそれぞれの前記属性情報としての位置情報、またはキーワード情報の少なくとも一方を比較する比較ステップと、
前記処理手段による、前記比較ステップの処理での比較結果に基づき、前記ユーザデータと前記素材データをグループ分けするグループ分けステップと、
前記処理手段による、前記グループ分けステップの処理でグループ分けされた前記素材データの属性情報としての日時情報を、同一のグループにグループ分けされた前記ユーザデータの前記属性情報に基づいて設定する設定ステップと、
前記処理手段による、前記グループ分けステップの処理で同一のグループに分類された前記ユーザデータおよび前記素材データの再生順序を、それぞれの前記属性情報としての前記日時情報に基づいて決定し、対応する編集データを生成する決定ステップと、
前記再生手段による、前記情報記録媒体に記録された前記ユーザデータおよび前記素材データを、前記編集データに基づく順序で再生する再生ステップと
を含むことを特徴とする記録再生方法。
【請求項１０】
情報記録媒体にデータを記録する記録手段と、
前記情報媒体からデータを再生する再生手段と、
プログラムに従い前記データに関する情報を処理する処理手段とを備え、
静止画データおよびＡＶデータのうちの少なくとも一方をユーザデータとして情報記録媒体に記録し、また再生するコンピュータの制御用のプログラムであって、
前記処理手段により前記記録手段を制御して、属性情報として少なくとも日時情報が付加されている前記ユーザデータの前記情報記録媒体に記録させる記録制御ステップと、
前記処理手段による、前記記録制御ステップの処理により前記情報記録媒体に記録された前記ユーザデータと、素材データのそれぞれの前記属性情報としての位置情報、またはキーワード情報の少なくとも一方を比較する比較ステップと、
前記処理手段による、前記比較ステップの処理での比較結果に基づき、前記ユーザデータと前記素材データをグループ分けするグループ分けステップと、
前記処理手段による、前記グループ分けステップの処理でグループ分けされた前記素材データの属性情報としての日時情報を、同一のグループにグループ分けされた前記ユーザデータの前記属性情報に基づいて設定する設定ステップと、
前記処理手段による、前記グループ分けステップの処理で同一のグループに分類された前記ユーザデータおよび前記素材データの再生順序を、それぞれの前記属性情報としての前記日時情報に基づいて決定し、対応する編集データを生成する決定ステップと、
前記処理手段により前記再生手段を制御して、前記情報記録媒体に記録された前記ユーザデータおよび前記素材データを、前記編集データに基づく順序で再生させる再生制御ステップと
を含むことを特徴とするコンピュータが読み取り可能なプログラムが記録されている記録媒体。
【請求項１１】
情報記録媒体にデータを記録する記録手段と、
前記情報媒体からデータを再生する再生手段と、
プログラムに従い前記データに関する情報を処理する処理手段とを備え、
静止画データおよびＡＶデータのうちの少なくとも一方をユーザデータとして情報記録媒体に記録し、また再生するコンピュータの制御用のプログラムであって、
前記処理手段により前記記録手段を制御して、属性情報として少なくとも日時情報が付加されている前記ユーザデータの前記情報記録媒体に記録させる記録制御ステップと、
前記処理手段による、前記記録制御ステップの処理により前記情報記録媒体に記録された前記ユーザデータと、素材データのそれぞれの前記属性情報としての位置情報、またはキーワード情報の少なくとも一方を比較する比較ステップと、
前記処理手段による、前記比較ステップの処理での比較結果に基づき、前記ユーザデータと前記素材データをグループ分けするグループ分けステップと、
前記処理手段による、前記グループ分けステップの処理でグループ分けされた前記素材データの属性情報としての日時情報を、同一のグループにグループ分けされた前記ユーザデータの前記属性情報に基づいて設定する設定ステップと、
前記処理手段による、前記グループ分けステップの処理で同一のグループに分類された前記ユーザデータおよび前記素材データの再生順序を、それぞれの前記属性情報としての前記日時情報に基づいて決定し、対応する編集データを生成する決定ステップと、
前記処理手段により前記再生手段を制御して、前記情報記録媒体に記録された前記ユーザデータおよび前記素材データを、前記編集データに基づく順序で再生させる再生制御ステップと
を含む処理をコンピュータに実行させるプログラム。
【発明の詳細な説明】
【０００１】
【発明の属する技術分野】
本発明は、記録再生装置および方法、記録媒体、並びにプログラムに関し、例えば、ユーザが撮影した静止画や動画を、編集用の素材として予め用意されている静止画、動画、タイトル文字、音声などと組み合わせて再生する場合に用いて好適な記録再生装置および方法、記録媒体、並びにプログラムに関する。
【０００２】
【従来の技術】
最近、一般家庭において、ディジタルスチルカメラやディジタルビデオカメラが広く普及しており、例えば、旅行先にディジタルスチルカメラとディジタルビデオカメラの両方を持参して、静止画と動画を撮影することなどに利用されている。
【０００３】
【発明が解決しようとする課題】
しかしながら、撮影した静止画や動画は、それぞれ別個に再生することが多く、両者を組み合わせて利用すること、すなわち、旅行などの行事において撮影された静止画と動画を編集して再生することについては、未だ一般家庭では普及していない。これは、以下の課題に起因すると考えられる。
【０００４】
編集を行う場合、ユーザ自身が撮影した静止画や動画に、映像に重畳させるタイトル文字、BGMなどの音声などを追加したいことがあるが、それらを用意することが困難である課題があった。
【０００５】
編集を行う場合、旅行時において、天候不良などに起因してユーザが撮影し損ねてしまった観光地の画像などを追加したいことがあるが、それらを用意することが困難である課題があった。
【０００６】
また、タイトル文字、BGM、観光地の画像などを取り揃えることができたとしても、編集には、例えば、パーソナルコンピュータを利用したり、市販されている編集用の機器を利用したりすることになるので、パーソナルコンピュータや編集用の機器の操作に習熟していない者にとっては、その作業が困難である課題があった。
【０００７】
本発明はこのような状況に鑑みてなされたものであり、例えば、旅行などの行事において撮影した静止画や動画と、予め用意されているタイトル文字、BGM、観光地の画像などの素材データとを自動的に編集できるようにすることを目的とする。
【０００８】
【課題を解決するための手段】
本発明の記録再生装置は、属性情報として少なくとも日時情報が付加されているユーザデータを情報記録媒体に記録する記録手段と、記録手段によって情報記録媒体に記録されたユーザデータと、素材データのそれぞれの属性情報としての位置情報、またはキーワード情報の少なくとも一方を比較する比較手段と、比較手段の比較結果に基づき、ユーザデータと素材データをグループ分けするグループ分け手段と、グループ分け手段によってグループ分けされた素材データの属性情報としての日時情報を、同一のグループにグループ分けされたユーザデータの属性情報に基づいて設定する設定手段と、グループ分け手段によって同一のグループに分類されたユーザデータおよび素材データの再生順序を、それぞれの属性情報としての日時情報に基づいて決定し、対応する編集データを生成する決定手段と、情報記録媒体に記録されたユーザデータおよび素材データを、編集データに基づく順序で再生する再生手段とを含むことを特徴とする。
前記素材データは、情報記録媒体に予め記録されているようにすることができる。
本発明の記録再生装置は、ネットワークを介して接続した所定のサーバから、素材データをダウンロードするダウンロード手段をさらに含むことができる。
【００１０】
本発明の情報記録再生装置は、ユーザデータが生成されたときの移動経路を示す移動経路履歴データを取得する取得手段をさらに含むことができる。
【００１１】
本発明の記録再生装置は、ユーザデータの属性情報としての位置情報を、移動経路履歴データに基づいて推定する推定手段をさらに含むことができる。
【００１２】
前記設定手段は、グループ分け手段によってグループ分けされた素材データの属性情報としての日時情報を、移動経路履歴データにも基づいて設定するようにすることができる。
【００１３】
本発明の記録再生装置は、被写体を撮像し、ユーザデータとしての静止画データおよびＡＶデータのうちの少なくとも一方を生成する撮像手段をさらに含むことができる。
【００１４】
本発明の記録再生方法は、記録手段による、属性情報として少なくとも日時情報が付加されているユーザデータを情報記録媒体に記録する記録ステップと、処理手段による、記録ステップの処理で情報記録媒体に記録されたユーザデータと、素材データのそれぞれの属性情報としての位置情報、またはキーワード情報の少なくとも一方を比較する比較ステップと、処理手段による、比較ステップの処理での比較結果に基づき、ユーザデータと素材データをグループ分けするグループ分けステップと、処理手段による、グループ分けステップの処理でグループ分けされた素材データの属性情報としての日時情報を、同一のグループにグループ分けされたユーザデータの属性情報に基づいて設定する設定ステップと、処理手段による、グループ分けステップの処理で同一のグループに分類されたユーザデータおよび素材データの再生順序を、それぞれの属性情報としての日時情報に基づいて決定し、対応する編集データを生成する決定ステップと、再生手段による、情報記録媒体に記録されたユーザデータおよび素材データを、編集データに基づく順序で再生する再生ステップとを含むことを特徴とする。
【００１５】
本発明の記録媒体のプログラムは、処理手段により記録手段を制御して、属性情報として少なくとも日時情報が付加されているユーザデータの情報記録媒体に記録させる記録制御ステップと、処理手段による、記録制御ステップの処理により情報記録媒体に記録されたユーザデータと、素材データのそれぞれの属性情報としての位置情報、またはキーワード情報の少なくとも一方を比較する比較ステップと、処理手段による、比較ステップの処理での比較結果に基づき、ユーザデータと素材データをグループ分けするグループ分けステップと、処理手段による、グループ分けステップの処理でグループ分けされた素材データの属性情報としての日時情報を、同一のグループにグループ分けされたユーザデータの属性情報に基づいて設定する設定ステップと、処理手段による、グループ分けステップの処理で同一のグループに分類されたユーザデータおよび素材データの再生順序を、それぞれの属性情報としての日時情報に基づいて決定し、対応する編集データを生成する決定ステップと、処理手段により再生手段を制御して、情報記録媒体に記録されたユーザデータおよび素材データを、編集データに基づく順序で再生させる再生制御ステップとを含むことを特徴とする。
【００１６】
本発明のプログラムは、処理手段により記録手段を制御して、属性情報として少なくとも日時情報が付加されているユーザデータの情報記録媒体に記録させる記録制御ステップと、処理手段による、記録制御ステップの処理により情報記録媒体に記録されたユーザデータと、素材データのそれぞれの属性情報としての位置情報、またはキーワード情報の少なくとも一方を比較する比較ステップと、処理手段による、比較ステップの処理での比較結果に基づき、ユーザデータと素材データをグループ分けするグループ分けステップと、処理手段による、グループ分けステップの処理でグループ分けされた素材データの属性情報としての日時情報を、同一のグループにグループ分けされたユーザデータの属性情報に基づいて設定する設定ステップと、処理手段による、グループ分けステップの処理で同一のグループに分類されたユーザデータおよび素材データの再生順序を、それぞれの属性情報としての日時情報に基づいて決定し、対応する編集データを生成する決定ステップと、処理手段により再生手段を制御して、情報記録媒体に記録されたユーザデータおよび素材データを、編集データに基づく順序で再生させる再生制御ステップとを含む処理をコンピュータに実行させることを特徴とする。
【００１７】
本発明の記録再生装置および方法、並びにプログラムにおいては、属性情報として少なくとも日時情報が付加されているユーザデータが情報記録媒体に記録され、情報記録媒体に記録されたユーザデータと、素材データのそれぞれの属性情報としての位置情報、またはキーワード情報の少なくとも一方が比較され、比較結果に基づき、ユーザデータと素材データがグループ分けされる。また、グループ分けされた素材データの属性情報として日時情報が、同一のグループにグループ分けされたユーザデータの属性情報に基づいて設定され、同一のグループに分類されたユーザデータおよび素材データの再生順序が、それぞれの属性情報としての日時情報に基づいて決定されて、対応する編集データが生成される。さらに、情報記録媒体に記録されたユーザデータおよび素材データが、編集データに基づく順序で再生される。
【００１８】
【発明の実施の形態】
本発明を適用したディスクレコーダの概要について、図１を参照して説明する。図１は、本発明を適用したディスクレコーダを含む画像編集システムの構成例を示している。
【００１９】
このディスクレコーダ１は、ディジタルスチルカメラ４によって撮影した静止画データ、ディジタルビデオカメラ３によって撮影したＡＶデータ（動画、および動画に対応する音声を含むデータ）、カーナビゲーション装置５によってメモリースティック（商標）６などの半導体メモリに記録した移動経路履歴データ（旅行期間中におけるサンプリング時刻毎（例えば、１分毎）の緯度、経度、高度、時刻）などのユーザデータを取得し、装着される旅行記用ディスク２に記録する。なお、メモリースティック６の代わりに、例えば、スマートメディア（商標）などの半導体メモリの他、任意の記録メディアを用いることようにしてもよい。
【００２０】
また、ディスクレコーダ１は、旅行記用ディスク２に記録したユーザデータと、旅行記用ディスク２に予め記録されている素材データ（例えば、観光地などの静止画データ、動画データ、タイトル文字データ、BGMなどの音声データ、地図データ）のうちのユーザデータと関連付けられるものとをグループ化して編集し、編集結果として再生順序などを記述した編集データを旅行記用ディスク２に記録する。
【００２１】
さらに、ディスクレコーダ１は、旅行記用ディスク２に記録されているユーザデータとしての静止画およびＡＶデータ、素材データとしての静止画、動画、および音声などを、旅行記用ディスク２の編集データに基づく順序で再生する。さらに、ディスクレコーダ１は、インタネット７を介して所定のサーバにアクセスし、素材データをダウンロードする。
【００２２】
なお、ディジタルビデオカメラ３やディジタルスチルカメラ４で撮影したＡＶデータや静止画データは、USB(Universal Serial Bus)ケーブルやIEEE(Institute of Electrical and Electronics Engineers)1394ケーブルなどを介してディスクレコーダに供給するようにしてもよいし、インタネットなどのネットワークを介して供給するようにしてもよいし、Bluetooth（商標）などのデジタル無線通信手段を介して供給するようにしてもよいし、メモリースティック６などの情報記録媒体を介して供給するようにしてもよい。
【００２３】
なお、ディジタルビデオカメラ３やディジタルスチルカメラ４で撮影したＡＶデータや静止画データには、少なくとも撮影日時を示す情報が属性情報として付加されているとする。
【００２４】
旅行記用ディスク２は、例えば、DVD(Digital Versatile Disc)などのランダムアクセス可能な情報記録媒体であり、所定の領域に素材データが予め記録された状態で市販される。旅行記用ディスク２は、例えば、北海道旅行版、九州旅行版、ハワイ旅行版、イタリア旅行版など、旅先にそれぞれ対応する某旅行版が市販されることになる。なお、素材データが記録されていないブランク状態の旅行記用ディスク２を販売し、別途、任意の旅先用の素材データを、インタネット７を介して販売するようにしてもよい。また、旅行記用ディスク２は、ディスク状の記録媒体ではなく、例えば、半導体メモリなどであってもよい。
【００２５】
図２は、ディスクレコーダ１の構成例を示している。ディスクレコーダ１は、CPU(Central Processing Unit)１１を内蔵している。CPU１１には、バス１４を介して、ROM(Read Only Memory)１２、RAM(Random Access Memory)１３、および入出力インタフェース（Ｉ／Ｆ）２６が接続されている。CPU１１は、制御用プログラムを実行することによってディスクレコーダ１の動作を制御する。
【００２６】
入出力インタフェース２６には、所定の方式（例えば、JPEG(Joint Photographic Experts Group)方式）でエンコードされている静止画データや、所定の方式（例えば、MPEG(Moving Picture Experts Group)方式）でエンコードされているＡＶデータをデコードして対応する映像信号を生成したり、生成した映像信号にタイトル文字を重畳したりする画像処理部１５、所定の方式（例えば、ATRAC(Adaptive Transform Acoustic Coding)3方式）でエンコードされている音声データや、所定の方式でエンコードされているＡＶデータをデコードして対応する音声信号を生成する音声処理部１６、装着される旅行記用ディスク２に対してデータを読み書きする記録再生部１７が接続されている。
【００２７】
さらに、入出力インタフェース２６には、インタネット７などのネットワークを介してデータを通信するネットワークインタフェース１８、ユーザが操作コマンドを入力するリモートコントローラとその受信部、および本体に設けられるボタンなど（いずれも不図示）の入力デバイスよりなる操作入力部１９、再生する静止画データや動画データの映像信号および対応する音声信号を、ディスプレイおよびスピーカからなるモニタ（不図示）に出力するモニタインタフェース２０、装着されたメモリースティック６に記録されている移動経路履歴データなどを読み出すメモリースティックスロット２１、USBケーブルを介してディジタルスチルカメラ４などと接続し、静止画データなどを通信するUSBインタフェース２２、IEEE1394ケーブルを介してディジタルビデオカメラ３などと接続し、ＡＶデータを通信するIEEE1394インタフェース２３、および記録媒体２５に記録されている制御用プログラムを読み出すドライブ２４が接続されている。
【００２８】
図３は、旅行記用ディスク２のデータ記録領域を示している。旅行記用ディスク２のデータ記録領域は、第１乃至第４の領域から構成される。
【００２９】
第１の領域には、某旅行版に対応するタイトル文字データ、静止画データ、動画データ、音声データ、地図データなどからなる素材データが記録される。なお、この素材データは、旅行記用ディスク２が販売される時に既に第１の領域に記録されている。素材データのタイトル文字データは、編集時に静止画などに重畳して表示させるための文字列データである。素材データの静止画データは、例えば、旅先の有名な観光地などの静止画のデータである。素材データの動画データは、例えば、旅先の観光地における有名なイベントなどの動画のデータある。素材データの音声データは、例えば、静止画再生時のBGMなどに用いるための楽曲のデータある。素材データの地図データは、旅先における移動経路を確認できる程度の地図のデータである。
【００３０】
素材データに含まれるタイトル文字データ、静止画データ、動画データ、音声データ、地図データなどには、図４に示すように、ある程度の広さの地域を示す位置情報（例えば、中心の緯度、経度、範囲半径）、日時情報、およびキーワード情報からなる属性情報が付加されている。ただし、全ての素材データに対して、位置情報、日時情報、およびキーワード情報の全てが属性情報として付加されるわけではない。例えば、文字列「ゆふいん」を示すタイトル文字データｔｄ２には、キーワード情報（湯布院、大分、温泉）が属性情報として付加されている。また、例えば、阿蘇山の風景写真のデータである静止画データｐ１には、位置情報（緯度３２°５２’Ｎ，経度１３１°０４’Ｅ、有効範囲２０Ｋｍ）、キーワード情報（阿蘇山、熊本、火山）が属性情報として付加されている。
【００３１】
旅行記用ディスク２の第２の領域には、静止画データ、ＡＶデータ、移動経路履歴データなどが含まれるユーザデータが記録される。ユーザデータに含まれる静止画データおよびＡＶデータには、図５に示すように、撮影した場所を示す位置情報、撮影した日時を示す日時情報、および撮影場所や被写体に関連するキーワード情報からなる属性情報のうち、少なくとも日時情報が付加されている。
【００３２】
ユーザデータの属性情報である位置情報については、ディジタルビデオカメラ３やディジタルスチルカメラ４がGPS(Global Positioning System)信号受信機能のような自己の所在地を認識する機能を有していれば、ユーザデータに属性情報として付加することができる。ユーザデータの属性情報であるキーワード情報については、ディジタルビデオカメラ３やディジタルスチルカメラ４において、ユーザが入力する文字列を画像データやＡＶデータのキーワード情報として付加するようにしてもよいし、ディスクレコーダ１においてユーザが入力する文字列をキーワード情報として付加するようにしてもよい。
【００３３】
旅行記用ディスク２の第３の領域には、後述する編集処理によって編集されるユーザデータと素材データの再生順序を示す編集データが記録される。
【００３４】
旅行記用ディスク２の第４の領域には、上述した各素材データ、各ユーザデータ、編集データなどの旅行記用ディスク２における記録位置、データサイズなどについての情報が記述されている管理用データが記録される。
【００３５】
次に、ディスクレコーダ１の編集処理について、図６のフローチャートを参照して説明する。なお、編集処理が開始される前提として、ディスクレコーダ１には旅行記用ディスク２が装着されており、旅行記用ディスク２の第２の領域には、既にユーザデータが記録されているものとする。
【００３６】
ステップＳ１において、CPU１１は、旅行記用ディスク２の第２の領域に記録したユーザデータと、第１の領域に記録されている素材データとを関連付けるグループ化処理を実行する。
【００３７】
グループ化処理について、図７のフローチャートを参照して説明する。ステップＳ１１において、CPU１１は、旅行記用ディスク２の第２の領域に記録されているユーザデータに移動経路履歴データが存在するか否かを判定する。移動経路履歴データが存在すると判定された場合、処理はステップＳ１２に進む。
【００３８】
ステップＳ１２において、CPU１１は、旅行記用ディスク２の第２の領域に記録されているユーザデータとしての静止画データおよびＡＶデータのうち、属性情報として位置情報が付加されていないものを抽出する。ステップＳ１３において、CPU１１は、位置情報が付加されていない静止画データおよびＡＶデータの日時情報を移動経路履歴データに照らし合わせることによって、位置情報が付加されていない静止画データおよびＡＶデータの位置情報を推定し、属性情報として第２の領域に記録する。この位置情報がどのユーザデータに対して推定されたものであるかをCPU１１が管理するようにして、第２の記憶領域の代わりにRAM１３などのメモリに、推定された位置情報を記録するようにしてもよい。
【００３９】
ステップＳ１２およびＳ１３の処理により、ユーザデータに含まれる全ての静止画データおよびＡＶデータには、属性情報として位置情報と日時情報が付加されたことになる。ただし、ステップＳ１１において、ユーザデータに移動経路履歴データが存在しないと判定された場合、ステップＳ１２およびＳ１３の処理はスキップされる。
【００４０】
ステップＳ１４において、CPU１１は、属性情報として撮影場所の位置情報を有するユーザデータと、属性情報として広域な位置情報を有する素材データを、位置情報に基づいてグループ化する。具体的には、素材データの広域な位置情報に、ユーザデータの撮影場所の位置情報が含まれる場合、当該素材データと当該ユーザデータを同じグループに分類する。
【００４１】
ステップＳ１５において、CPU１１は、ステップＳ１４の処理でいずれのグループにも分類されていないユーザデータおよび素材データのうち、属性情報としてキーワード情報を有しているものを、キーワード情報に基づいて各グループに分類する。具体的には、未分類のユーザデータ（または素材データ）のキーワード情報が、あるグループに属するユーザデータおよび素材データのキーワード情報と一致する場合、当該未分類のユーザデータ（または素材データ）を、当該グループに分類する。
【００４２】
さらに、CPU１１は、ステップＳ１５までの処理によっていずれのグループにも分類されなかった素材データを以降の処理対象から除外し、いずれのグループにも分類されなかったユーザデータを日時情報に基づき、例えば、時系列順にグループ分けを行う。
【００４３】
ステップＳ１６において、CPU１１は、いずれかのグループに分類された素材データに対し、同じグループに分類されたユーザデータの日時情報、または移動経路履歴データに基づき、同じグループに分類されたユーザデータと時刻の前後関係を判別できる程度の大まかな日時情報を設定する。
【００４４】
以上説明したグループ化処理により、例えば、図４に示した素材データが第１の領域に記録されており、図５に示したユーザデータが第２の領域に記録されているとすれば、ステップＳ１２およびＳ１３の処理では、ユーザデータの静止画データｕｐ２の位置情報が推定される。
【００４５】
ステップＳ１４の処理では、位置情報に基づき、ユーザデータの静止画データｕｐ１と素材データの静止画データｐ１が同じグループ（以下、グループＡと称する）に分類される。また、ユーザデータの静止画データｕｐ２と素材データの静止画データｐ２が同じグループ（以下、グループＢと称する）に分類される。
【００４６】
ステップＳ１５の処理では、素材データのタイトル文字データｔｄ２のキーワード情報「温泉」が、グループＢに分類された素材データの静止画データｐ２のキーワード情報「温泉」と一致するので、素材データのタイトル文字データｔｄ２がグループＢに分類される。また、素材データの動画データｖ１のキーワード情報「阿蘇山」が、グループＡに分類された素材データの静止画データｐ１のキーワード情報「阿蘇山」と一致するので（さらに、グループＡに分類されたユーザデータの静止画データｕｐ１のキーワード情報「阿蘇山」とも一致するので）、素材データの動画ｖ１がグループＡに分類される。
【００４７】
図６に戻る。ステップＳ２において、CPU１１は、各グループに属する素材データとユーザデータの日時情報に基づき、各グループの再生順序を決定する。さらに、CPU１１は、グループの中で、当該グループに属する素材データやユーザデータを日時情報に基づいて配列し、その順序に従い、静止画や動画の再生タイミングを再生時間軸上に設定して編集データを生成し、旅行記用ディスク２の第３の領域に記録させる。なお、編集データには、地図上に移動経路を示す映像や、BGMとして使用する音声データの情報なども含めて生成するようにする。以上、編集処理の説明を終了する。
【００４８】
図８は、上述した編集処理によって旅行記用ディスク２の第３の領域に記録された編集データに従って再生される映像および音声の一例を示している。なお、１枚の静止画の表示時間については、例えば、BGMとする楽曲の再生時間から全ての動画の再生時間を減算し、その残り時間を静止画の枚数で除算することによって決定するようにしたり、あるいは、ユーザからの所定の操作に対応して表示されている静止画を、次の静止画や動画に切り替えるようにしたりしてもよい。
【００４９】
編集処理のステップＳ１におけるグループ化処理は、旅行記用ディスク２に記録されている各素材データ、各ユーザデータの検索に適用することができる。すなわち、検索条件としての属性情報には直接一致しないデータでも、同じグループに属する他のデータの属性情報が検索条件に一致する場合、当該直接一致しないデータを検索することができる。
【００５０】
旅行記用ディスク２の第３の領域には、編集処理で生成された編集データの他、複数の編集データを記録することができる。例えば、編集処理で生成された編集データをユーザが任意に変更できるようにして、その変更された編集データを記録するようにしてもよい。また、例えば、旅行の計画を立てるときに役立つ旅行のモデルプランに沿った映像を順次再生させるような、素材データだけの再生順序を示す編集データが記録された状態で旅行記用ディスク２を販売するようにしてもよい。
【００５１】
次に、図９は、言わば、図１に示したディスクレコーダ１、ディジタルビデオカメラ３、ディジタルスチルカメラ４、およびカーナビゲーション装置５からなる画像編集システムを一体化したディジタルビデオカメラの構成例を示している。
【００５２】
すなわち、ディジタルビデオカメラ３０は、静止画および動画を撮影し、それらの画像データおよびＡＶデータに属性情報として、受信するGPS信号から得られる位置情報と日時情報を付加して旅行記用ディスク２の第２の領域に記録する。また、ディジタルビデオカメラ３０は、受信するGPS信号に基づき、移動経路履歴データを生成して、旅行記用ディスク２の第２の領域に記録する。さらに、ディジタルビデオカメラ３０は、旅行記用ディスク２に記録したユーザデータと、旅行記用ディスク２に予め記録されている素材データのうちのユーザデータと関連付けられるものとをグループ化して編集し、編集結果として再生順序などを記述した編集データを旅行記用ディスク２に記録する。さらに、ディジタルビデオカメラ３０は、旅行記用ディスク２に記録されているユーザデータとしての静止画およびＡＶデータ、素材データとしての静止画、動画、および音声などを、旅行記用ディスク２の編集データに従った順序で再生する。
【００５３】
ディジタルビデオカメラ３０を構成する制御部３１は、バス３４を介してドライブ４３を制御し、記録媒体４４に記憶されている制御用プログラムを読み出し、読み出した制御用プログラム、操作入力部４０にユーザから入力されるコマンド等に基づいて、ディジタルビデオカメラ３０の全体を制御する。例えば、制御部１１は、制御用プログラムに基づき、上述した編集処理を実行する。
【００５４】
レンズおよびCCD(Charge Coupled Device)などの光電変換素子から撮像部３２は、被写体の光学像を映像信号に変換する。マイクなどからなる音声入力部３３は、動画撮影時に対応する音声信号を取得する。画像処理部３５は、撮像部３２が出力する映像信号をエンコードして静止画データまたは動画データを生成する。また、画像処理部３５は、静止画データまたは動画データをデコードし、映像信号を復元する。音声処理部３６は、音声入力部３３から入力される音声信号をエンコードして音声データを生成する。また、音声処理部３６は、音声データをデコードして音声信号を復元する。
【００５５】
記録再生部３７は、旅行記用ディスク２に対するデータの読み書きを実行する。LCD(Liquid Crystal Display)などよりなるディスプレイ３８は、再生される映像信号に対応する映像を表示する。スピーカ３９は、再生される音声信号に対応する音声を出力する。本体側面などに設けられるボタンなどよりなる操作入力部４０は、ユーザの操作を受け付ける。GPS信号受信部４１は、GPS信号を受信して所在地の位置情報および日時情報を算出する。ネットワークインタフェース４２は、インタネット７などのネットワークを介してデータを通信する。
【００５６】
このディジタルビデオカメラ３０は、静止画データ、動画データ、および移動経路履歴データを単体で取得できるので、旅行先にはディジタルビデオカメラ３０だけを持参すれよい。また、編集と再生が可能であり、ディスプレイ３８とスピーカ３９を内蔵しているので、任意の場所で編集である素材データとユーザデータを組み合わせた映像を視聴することができる。
【００５７】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００５８】
この記録媒体は、図２に示すように、コンピュータとは別に、ユーザにプログラムを提供するために配布される、プログラムが記録されている記録媒体２５などであり、磁気ディスク（フロッピディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどよりなるパッケージメディアにより構成されるだけでなく、コンピュータに予め組み込まれた状態でユーザに提供される、プログラムが記録されているROMやハードディスクなどで構成される。
【００５９】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００６０】
また、本明細書において、システムとは、複数の装置により構成される装置全体を表すものである。
【００６１】
【発明の効果】
以上のように、本発明によれば、例えば、旅行などの行事において撮影した静止画や動画と、予め用意されている素材データとを自動的に編集することが可能となる。
【図面の簡単な説明】
【図１】本発明の一実施の形態であるディスクレコーダ１を含む画像編集システムの構成例を示すブロック図である。
【図２】図１のディスクレコーダ１の構成例を示すブロック図である。
【図３】図１の旅行記用ディスク２の第１乃至第４の領域に記録されるデータを示す図である。
【図４】素材データの一例を示す図である。
【図５】ユーザデータの一例を示す図である。
【図６】ディスクレコーダ１による編集処理を説明するフローチャートである。
【図７】図６のステップＳ１におけるグループ化処理を説明するフローチャートである。
【図８】編集データに従って再生される映像および音声の一例を示す図である。
【図９】本発明の一実施の形態であるディジタルビデオカメラの構成例を示す図である。
【符号の説明】
１  ディスクレコーダ，  ２  旅行記用ディスク，  ３  ディジタルビデオカメラ，  ４  ディジタルスチルカメラ，  １１  CPU，  ２５  記録媒体，  ３０  制御部，  ３２  撮像部，  ４４  記録媒体
【図１】
0004000586.tif 000002
【図２】
0004000586.tif 000003
【図３】
0004000586.tif 000004
【図４】
0004000586.tif 000005
【図５】
0004000586.tif 000006
【図６】
0004000586.tif 000007
【図７】
0004000586.tif 000008
【図８】
0004000586.tif 000009
【図９】
0004000586.tif 000010